(57)【要約】【課題】  ウエットティシュペーパーの一片を展開する手間を省くことができ、対象物の拭き作業の作業性を向上することが可能なウエットティシュペーパー製品及びウエットティシュ容器を提供する。【解決手段】  本発明のウエットティシュペーパー製品１は、開口部４が設けられた容器２と、容器２に収納されたウエットティシュペーパー３，３０，３１，３２とを備える。そして、容器２には、ウエットティシュペーパー３，３０，３１，３２を展開した状態で裏側から弾性的に支える支持部６が開口部４に臨むように設けられている。【選択図】    図１
2005304631.tif 000002
【特許請求の範囲】
【請求項１】
開口部が設けられた容器と、前記容器に収納されたウエットティシュペーパーと、を備え、前記容器には、前記ウエットティシュペーパーを展開した状態で裏側から弾性的に支える支持部が前記開口部に臨むように設けられていることを特徴とするウエットティシュペーパー製品。
【請求項２】
前記ウエットティシュペーパーは、前記支持部で展開される部分を一単位としこれを連ねるようにして前記容器に収納されており、
前記容器には、前記ウエットティシュペーパーの前記一単位を引き出してこれに続く前記一単位を前記支持部に繰り出すための引き出し口が設けられていることを特徴とする請求項１に記載のウエットティシュペーパー製品。
【請求項３】
前記支持部は、前記開口部から突き出るようにして前記容器に設けられていることを特徴とする請求項１又は２に記載のウエットティシュペーパー製品。
【請求項４】
前記ウエットティシュペーパーは、複数枚重ねられた状態で前記容器に収納されており、
前記開口部は、前記支持部で展開された前記ウエットティシュペーパーを引き出すための引き出し口として兼用されていることを特徴とする請求項１に記載のウエットティシュペーパー製品。
【請求項５】
前記容器は、前記開口部を覆い該容器を密封する蓋体を備え、
前記蓋体は、前記開口部が覆われた状態と露出した状態とを切り替えるように、該開口部が形成された面に沿って移動可能であることを特徴とする請求項１〜４のいずれか一項に記載のウエットティシュペーパー製品。
【請求項６】
開口部と、前記開口部に臨むように設けられ、収納したウエットティシュペーパーを展開した状態で弾性的に支える支持部と、前記支持部で展開された前記ウエットティシュペーパーを引き出すための引き出し口と、前記開口部を覆い容器を密封する蓋体と、を具備することを特徴とするウエットティシュ容器。
【請求項７】
前記蓋体は、前記開口部が覆われた状態と露出した状態とを切り替えるように、該開口部が形成された面に沿って移動可能であることを特徴とする請求項６に記載のウエットティシュ容器。
【請求項８】
前記支持部は、前記開口部から突き出るように設けられていることを特徴とする請求項６又は７に記載のウエットティシュ容器。
【請求項９】
前記開口部が、前記引き出し口として兼用されることを特徴とする請求項６に記載のウエットティシュ容器。
【発明の詳細な説明】
【技術分野】
【０００１】
本発明は、ウエットティシュペーパー製品及びウエットティシュ容器に関する。
【背景技術】
【０００２】
従来から、ウエットティッシュペーパー製品として、ウエットティッシュ容器内に収納されたウエットティシュペーパーを引き出し口から引き出し、引き出されたウエットティシュペーパーを適当な大きさの一片に切り離すことが可能な製品が知られている。この種の製品では、対象物を拭くために切り離した一片を一々展開しなければならず、しかもこの一片は薄くて持ちにくいので、拭き作業の作業性が悪化するおそれがある。
【発明の開示】
【発明が解決しようとする課題】
【０００３】
そこで本発明は、ウエットティシュペーパーの一片を展開する手間を省くことができ、拭き作業の作業性を向上することが可能なウエットティシュペーパー製品及びウエットティシュ容器を提供することを目的とする。
【課題を解決するための手段】
【０００４】
以下、本発明のウエットティシュペーパー製品及びウエットティシュ容器について説明する。なお、本発明の理解を容易にするために添付図面の参照符号を括弧書きにて付記するが、それにより本発明が図示の形態に限定されるものではない。
【０００５】
本発明のウエットティシュペーパー製品（１）は、開口部（４）が設けられた容器（２）と、前記容器に収納されたウエットティシュペーパー（３、３０、３１、３２）と、を備え、前記容器には、前記ウエットティシュペーパーを展開した状態で裏側から弾性的に支える支持部（６）が前記開口部に臨むように設けられていることにより、上述した課題を解決する（請求項１）。
【０００６】
この発明によれば、容器を持ちながら開口部から露出したウエットティシュペーパーの展開面を利用して対象物を拭くことができる。このため、容器から引き出されて切り離されたウエットティシュペーパーの一片を使用して対象物を拭く場合と比べ、この一片を展開する手間が省け、しかも持ち易いので、拭き作業の作業性が向上する。本発明のウエットティシュペーパー製品を用いる対象物は特に制限されないが、例えば、犬、猫等のペットの散歩帰りの汚れた四肢を拭く場合に適している。湿り気のあるウエットティッシュペーパーの一片を使用してペットの汚れた四肢を拭くことは従来から実施されていたが、容器から引き出されて切り離されたウエットティシュペーパーの一片は薄くて持ちにくく、拭き作業の作業性が悪かった。本発明のウエットティシュペーパー製品を使用すれば、容器からウエットティシュペーパーの一片を一々切り離す必要がなく、しかも容器を持ちながら拭き作業ができるので、ペットの四肢を拭く面倒な作業を迅速かつ効率的に行うことができる。
【０００７】
本発明のウエットティシュペーパー製品において、前記ウエットティシュペーパーは、前記支持部で展開される部分を一単位（３Ａ、３１Ａ、３２Ａ）としこれを連ねるようにして前記容器に収納されており、前記容器には、前記ウエットティシュペーパーの前記一単位を引き出してこれに続く前記一単位を前記支持部に繰り出すための引き出し口（９、１７、１８）が設けられていてもよい（請求項２）。開口部から露出したウエットティシュペーパーの展開面が汚れた場合には、引き出し口から汚れた一単位を引き出すことにより、きれいな一単位を支持部に繰り出して拭き作業を行うことができる。
【０００８】
本発明のウエットティシュペーパー製品において、前記支持部は、前記開口部から突き出るようにして前記容器に設けられていてもよい（請求項３）。この場合は、開口部側の容器の縁が対象物を拭く際に邪魔にならないので、開口部の面積と同等又はこれ以上の面積を持つ対象物を拭く場合に好都合である。
【０００９】
本発明のウエットティシュペーパー製品において、前記ウエットティシュペーパーは、複数枚重ねられた状態で前記容器に収納されており、前記開口部は、前記支持部で展開された前記ウエットティシュペーパーを引き出すための引き出し口として兼用されていてもよい（請求項４）。この場合には、製品全体の大きさをコンパクトにすることができるので、携帯用として好適である。
【００１０】
本発明のウエットティシュペーパー製品において、前記容器は、前記開口部を覆い該容器を密封する蓋体を備え、前記蓋体は、前記開口部が覆われた状態と露出した状態とを切り替えるように、該開口部が形成された面に沿って移動可能であってもよい(請求項５)。この場合は、使用しない場合には蓋体により容器を密封できるので、ウエットティッシュペーパーの乾燥を防止できる。しかも、蓋体が開口部が形成された面に沿って移動させて、開口部の開閉を行うことができるので、容器全体をコンパクトにすることができ、なおかつ蓋体の紛失を防止できる。   
【００１１】
本発明のウエットティシュペーパー製品を構成するウエットティシュ容器としては、開口部（４）と、前記開口部に臨むように設けられ、収納したウエットティシュペーパー（３、３０、３１、３２）を展開した状態で弾性的に支える支持部と、前記支持部で展開された前記ウエットティシュペーパーを引き出すための引き出し口（９、１７、１８）と、前記開口部を覆い容器を密封する蓋体と、を具備する容器が適している（請求項６）。この容器において、前記蓋体は、前記開口部が覆われた状態と露出した状態とを切り替えるように、該開口部が形成された面に沿って移動可能であってもよいし（請求項７）、前記支持部は、前記開口部から突き出るように設けられていてもよい（請求項８）。また、前記開口部が、前記引き出し口として兼用されてもよい（請求項９）。
【発明の効果】
【００１２】
以上説明したように本発明のウエットティシュペーパー製品及びウエットティシュ容器によれば、ウエットティシュペーパーを展開した状態で裏側から弾性的に支える支持部が開口部に臨むように設けられているので、ウエットティシュペーパーの一片を展開する手間を省くことができ、拭き作業の作業性を向上することができる。
【発明を実施するための最良の形態】
【００１３】
（第１実施形態）
本発明の第１実施形態に係るウエットティシュペーパー製品及びウエットティシュ容器について、図１〜図３を参照しながら説明する。図１に示したように、ウエットティシュペーパー製品１は、ウエットティシュ容器（以下容器という）２と、その容器２に収納されたウエットティシュペーパー３とを備えている。容器２の上端部には開口部４が設けられ、その開口部４からウエットティシュペーパー３が展開された状態で露出している。容器２は蓋体５を備えている。図２に示したように、蓋体５の内周にはねじ部５ａが設けられており、このねじ部５ａを容器２の上端部の周囲に設けられたねじ部２ａにねじ込むことにより、蓋体５は開口部４を覆い容器２を密封することができる。また、図４及び図５に示したように、蓋体５０を軟質な素材で構成するとともに、蓋体５０の周囲に溝部５０ａを形成し、この溝部５０ａを容器の縁部２ｂに嵌め合わせることにより、容器２を密封してもよい。この場合は蓋体５０の取り付け及び取り外しの際に、蓋体５０を容器２にねじ込む必要がないので、より迅速に蓋体５０を着脱できる。
【００１４】
図２に示したように、展開されたウエットティシュペーパー３は、その裏面から支持部６にて弾性的に支えられている。支持部６は、例えばゴムやウレタンのような弾力性のある弾性部材で構成され、開口部４に臨みかつ開口部４から突き出るようにして容器２に取り付けられている。図３に示したように、ウエットティシュペーパー３は支持部６で展開される部分を一単位３Ａとし、一単位３Ａが複数連なるようにして筒状に成形されている。各一単位３Ａの境界には例えばミシン目７のような切断容易化手段が設けられ、これによりウエットティシュペーパー３は一単位３Ａ毎に所定限度以上の引張力で切断されるように構成されている。図２に示したように、ウエットティシュペーパー３の一端側は蛇腹状にたぐり寄せられて容器２に収納され、ウエットティシュペーパー３の他端側は支持部６にて展開されるとともに、その端部３ａを支持部６に設けられた孔８及び容器２の底部に設けられた引き出し口としての孔９のそれぞれに通すようにして容器２の外部に引き出されている。なお、孔９によるウエットティシュペーパー３の乾燥等を防止するため、容器２の底部には孔９を塞ぐ下蓋１０が取り付けられている。ウエットティシュペーパー３の詰め替えは、蓋体５，５０を容器２から取り外し、支持部６を容器２から取り出して行えばよい。
【００１５】
以上の第１実施形態によれば、ウエットティシュペーパー３を展開した状態で裏側から弾性的に支える支持部６が開口部４に臨むように設けられているので、支持部６で展開されたウエットティシュペーパー３の一単位３Ａを使用して対象物を速やかに拭くことができる。そして、開口部４に展開された一単位３Ａが汚れたときには、ウエットティシュペーパー３の端部３ａを図２の矢印の方向に引っ張ることにより、汚れた一単位３Ａを孔９から引き出すとともに、この一単位３Ａに続く未使用の一単位３Ａを支持部６に繰り出すことができる。更に、保管の際には、蓋体５により開口部４を覆い容器２が密閉されるので、容器２に収納されたウエットティッシュペーパー３の乾燥等を防止することができる。
【００１６】
また、本実施形態では、支持部６が開口部４から突き出るように容器２に設けられているので、開口部４側の容器２の縁が対象物を拭く際に邪魔にならない。このため、開口部４の面積と同等又はこれ以上の面積を持つ対象物を拭く場合に好適である。
【００１７】
（第２実施形態）
次に第２実施形態を図６及び図７を参照しながら説明する。本実施形態では、容器２に収納されるウエットティシュペーパー３０の形態が第１実施形態と異なる。図７に示したように、ウエットティシュペーパー３０は、開口部４の形状に合わせて成形された一単位３０Ａが複数枚重ねられて容器２に収納され、ウエットティシュペーパー３０が開口部４から脱落しないようにウエットティシュペーパー３０の周囲を支持部６に押さえつける押さえ輪１２が容器２に取り付けられている。押さえ輪１２の内周には突条１２ａが形成されており、この突条１２ａを容器２の周囲に形成された溝部２ｃに嵌め込むことにより、押さえ輪１２が容器２に取り付けられる。ウエットティシュペーパー３０の詰め替えは、押さえ輪１２を取り外して行えばよい。また、図８及び９に示したように、押さえ輪１３を容器２に一体化するとともに、ウエットティシュペーパー３０を詰め替えるための詰め替え口１４を容器２の底部に設けてもよい。この場合は、詰め替え口１４を塞ぐ詰め替え用蓋１５を取り外し、支持部６を容器２から取り出してウエットティシュペーパー３０の詰め替えを行えばよい。
【００１８】
以上の第２実施形態では、開口部４からウエットティシュペーパー３０の一単位３０Ａを図７及び９の矢印の方向に引き出すことができ、開口部４は引き出し口（第１実施形態の孔９）として兼用される。このため、製品全体の大きさをコンパクトにすることができるので、携帯用として好適である。
【００１９】
（第３実施形態）
次に第３実施形態について図１０及び図１１を参照して説明する。これらの図に示したように、本実施形態のウエットティシュペーパー３１は、一単位３１Ａが帯状に連なるようにして軸１６を中心に円筒状に巻き付けられた形態であり、図示は省略したが各一単位３１Ａの境界には第１実施形態と同様にミシン目７等の切断容易化手段が設けられている。容器２に収納されたウエットティシュペーパー３１は、その最も外側の一単位３１Ａが支持部６で展開され、その端部３１ａが引き出し口としてのスリット１７から展開した状態で図１０の右側の矢印の方向に引き出されている。開口部４は容器２の側面に設けられており、この側面に沿って蓋体５１が移動可能に取り付けられている。本実施形態の蓋体５１には窓部５２が開口部４の形状に合わせて設けられている。図１０の左側の矢印で示したように、蓋体５１を容器２に対して回転移動し、窓部５２と開口部４との位置関係を変更することにより、開口部４が覆われた状態と露出した状態とに切り替えることができる。窓部５２の縁にはパッキン５２ａが取り付けられているので、開口部４が隠された状態において容器２の側面と窓部５２とが密閉され、ウエットティシュペーパー３１の乾燥等が防止される。ウエットティシュペーパー３１の詰め替えは、容器２の上部に取り付けられる詰め替え蓋５３を取り外して行えばよい。詰め替え蓋５３はねじ込み式になっており、容器２にねじ込まれて取り付けられている。
【００２０】
この実施形態によれば、蓋体５１が容器２の側面に沿って移動可能に設けられて、開口部４の開閉が行われるので、容器２全体をコンパクトにすることができ、なおかつ蓋体５１を紛失するおそれがない。
【００２１】
（第４実施形態）
次に第４実施形態について図１２及び図１３を参照して説明する。本実施形態のウエットティシュペーパー３２は、一単位３２Ａが連なった帯状の形態であり、その一端側は折り畳まれて容器２に収納され、他端側は支持部６で展開され、端部３２ａが引き出し口としてのスリット１８から図１３の矢印の方向に引き出されている。蓋体５４は容器２の側部に設けられたヒンジ５５を中心に回転し、開口部４を開閉することができる。ウエットティシュペーパー３２の詰め替えは、容器２に嵌めこまれた枠体５６を取り外し、支持部６を取り出して行うことができる。
【図面の簡単な説明】
【００２２】
【図１】本発明の第１実施形態に係るウエットティシュペーパー製品の斜視図。
【図２】図１のウエットティシュペーパー製品の断面を模式的に示した図。
【図３】ウエットティシュペーパーの全体構成を示した図。
【図４】蓋体を他の形態としたウエットティシュペーパー製品の斜視図。
【図５】図４のウエットティシュペーパー製品の断面を模式的に示した図。
【図６】本発明の第２実施形態に係るウエットティシュペーパー製品の斜視図。
【図７】図６のウエットティシュペーパー製品の断面を模式的に示した図。
【図８】詰め替え口を設けたウエットティシュペーパー製品の斜視図。
【図９】図８のウエットティシュペーパー製品の断面を模式的に示した図。
【図１０】本発明の第３実施形態に係るウエットティシュペーパー製品の斜視図。
【図１１】図１０のウエットティシュペーパー製品の断面を模式的に示した図。
【図１２】本発明の第４実施形態に係るウエットティシュペーパー製品の斜視図。
【図１３】図１２のウエットティシュペーパー製品の断面を模式的に示した図。
【符号の説明】
【００２３】
１  ウエットティシュペーパー製品
２  ウエットティシュ容器（容器）
３、３０、３１、３２  ウエットティシュペーパー
３Ａ、３０Ａ、３１Ａ、３２Ａ  一単位
４  開口部
６  支持部
【図１】
2005304631.tif 000003
【図２】
2005304631.tif 000004
【図３】
2005304631.tif 000005
【図４】
2005304631.tif 000006
【図５】
2005304631.tif 000007
【図６】
2005304631.tif 000008
【図７】
2005304631.tif 000009
【図８】
2005304631.tif 000010
【図９】
2005304631.tif 000011
【図１０】
2005304631.tif 000012
【図１１】
2005304631.tif 000013
【図１２】
2005304631.tif 000014
【図１３】
2005304631.tif 000015